(57)【特許請求の範囲】
【請求項１】
録音型発話名の発音の音声版を提供する方法であって、
アプリケーション・サーバが、ハイパーテキスト転送プロトコル（ｈｔｔｐ）インターフェースを介して、人物の発話名の発音を要求するユーザ要求を受信するステップと、
前記アプリケーション・サーバが、外部ボイスメール・システムに、前記外部ボイスメール・システムに保存された録音型発話名（ＲＳＮＶＭ）音声ファイルを要求するＲＳＮＶＭ要求クエリを送信するステップとを含み、前記ＲＳＮＶＭ音声ファイルは前記人物が当人の名前を発話した録音型音声コンテンツを含み、さらに、
前記アプリケーション・サーバが、前記外部ボイスメール・システムから、前記ＲＳＮＶＭ音声ファイルを収納したＲＳＮＶＭ応答を受信するステップと、
前記アプリケーション・サーバが、ハイパーテキスト転送プロトコル（ｈｔｔｐ）インターフェースを介して、ネットワーク・アクセス端末の前記ユーザに、前記ネットワーク・アクセス端末による再生用に前記人物の発話名の発音の音声版を提供する前記ＲＳＮＶＭ音声ファイルを送信するステップとを含む方法。
【請求項２】
前記人物が名簿サービスのメンバであり、前記アプリケーション・サーバが、前記ユーザに前記メンバに関する名簿情報を提供する名簿サービス・アプリケーション・サーバである、請求項１に記載の方法。
【請求項３】
前記アプリケーション・サーバが、名簿メンバ・プロファイル・データベースに、前記名簿メンバにＲＳＮＶＭが利用可能であるかを判定するためにｈｔｔｐクエリを送信するステップと、
前記アプリケーション・サーバが、前記名簿メンバ・プロファイル・データベースから、前記名簿メンバに関連付けられたＲＳＮＶＭ識別子（ＲＳＮＶＭＩＤ）を受信するステップとをさらに含む、請求項２に記載の方法。
【請求項４】
前記アプリケーション・サーバが、前記ボイスメール・システムに前記ＲＳＮＶＭ要求クエリを送信するために前記ボイスメール・システムを位置付けるためのＲＳＮＶＭＩＤを使用するステップをさらに含み、前記ボイスメール・システムがボイスメール・プロセッサを含み、前記ＲＳＮＶＭＩＤが、前記ボイスメール・プロセッサのＩＰアドレスまたはドメイン名を含む位置情報を含む、請求項３に記載の方法。
【請求項５】
前記アプリケーション・サーバが、１人または複数のユーザから複数の異なる人物の発話名の発音に対する複数のユーザ要求を受信するステップと、
前記アプリケーション・サーバが、複数の異なる外部ボイスメール・システムに、前記外部ボイスメール・システムに保存された録音型発話名（ＲＳＮＶＭ）音声ファイルを要求するＲＳＮＶＭ要求クエリを送信するステップとを含み、前記ＲＳＮＶＭ音声ファイルの各々が前記複数の異なる人物の異なる１人に対応し、さらに、
前記アプリケーション・サーバが、前記外部ボイスメール・システムから前記ＲＳＮＶＭ音声ファイルを受信するステップと、
前記アプリケーション・サーバが、１つまたは複数のネットワーク・アクセス端末の前記１人または複数のユーザに前記人物の発話名の発音の音声版を提供する前記ＲＳＮＶＭ音声ファイルを送信するステップとをさらに含む、請求項４に記載の方法。
【請求項６】
ユーザに人物の録音型発話名の発音の音声版を提供するシステムであって、
人物の発話名の発音を求めたユーザ要求を受信するためにハイパーテキスト転送プロトコル（ｈｔｔｐ）インターフェースを介してユーザ操作のネットワーク・アクセス端末に接続されたアプリケーション・サーバを含み、外部ボイスメール・システムに保存された、人物が当人の名前を発話した録音型発話名（ＲＳＮＶＭ）音声ファイルを要求するＲＳＮＶＭ要求ｈｔｔｐクエリを送信するため、そして、非通話環境で、前記ＲＳＮＶＭ音声ファイルを、前記ユーザに前記人物の録音型発話名の発音の音声版を提供すべく再生用に前記ユーザ操作のネットワーク・アクセス端末に送信するために、前記アプリケーション・サーバがｈｔｔｐインターフェースを介して前記外部ボイスメール・システムに接続される、システム。
【請求項７】
前記人物が名簿サービスのメンバであり、前記アプリケーション・サーバが、前記ユーザに前記メンバに関する名簿情報を提供する名簿サービス・アプリケーション・サーバである、請求項６に記載のシステム。
【請求項８】
前記名簿メンバに関連付けられたＲＳＮＶＭ識別子（ＲＳＮＶＭＩＤ）を名簿メンバ・プロファイル・データベースから前記アプリケーション・サーバに送信するために前記アプリケーション・サーバに接続された名簿メンバ・プロファイル・データベースをさらに含む、請求項７に記載のシステム。
【請求項９】
前記ボイスメール・システムがボイスメール・プロセッサを含み、前記ＲＳＮＶＭＩＤが、前記ボイスメール・プロセッサのＩＰアドレスまたはドメイン名を含む位置情報を含む、請求項８に記載のシステム。
【請求項１０】
前記アプリケーション・サーバが、ボイスメール・システムに保存された録音型発話名（ＲＳＮＶＭ）音声ファイルを要求するＲＳＮＶＭ要求ｈｔｔｐクエリを送信するために、ｈｔｔｐインターフェースを介して前記複数の異なる外部ボイスメール・システムに接続され、前記ＲＳＮＶＭ音声ファイルの各々が、複数の異なる人物の異なる１人に対応してユーザにユーザに発話名の発音を提供し、前記ボイスメール・システムがボイスメール・プロセッサを含み、前記名簿メンバ・プロファイル・データベースが、複数の異なる人物のそれぞれ異なる前記１人ごとに関連付けられたＲＳＮＶＭＩＤを含み、前記ＲＳＮＶＭＩＤが前記ボイスメール・プロセッサの前記ＩＰアドレスまたは前記ドメイン名を有する、請求項９に記載のシステム。
【発明の詳細な説明】
【背景技術】
【０００１】
本発明は、名前の発音、より詳細には、外部ボイスメール・システムから取り出される発話名の発音の音声版を提供するシステムおよび方法に関する。
【０００２】
本発明は特に名簿サービスの技術に関し、したがって、本発明は名簿サービスを具体的に参照しながら説明されるが、本発明は、他の分野および他の用途にも役立てられることを理解されたい。
【０００３】
オンライン・データベースは、効果的なコミュニケーションを可能にするために人物に関する情報を提供する貴重なツールである。例えば、オンライン名簿アシスタンスは、データベース内の人物およびビジネスに関する電話番号および住所を提供することができる。同様に、多くの大企業（または大きい団体）が氏名、住所、ｅメール・アドレス、電話番号、携帯電話番号、ホーム・ページのＵＲＬなどを掲載したオンライン従業員（または職員）名簿を提供している。
【０００４】
グローバル化が進むにつれて、大企業の労働力はますます多様化し、異なる数カ国からの従業員が含まれることすらありうる。さらに、人によっては、ミドルネームまたはニックネームで呼ばれたがる。そのため、同僚の名前の適切な発音法を知っていることは有用である。
【０００５】
本発明は、これらの需要およびその他を解決する新しい、および改善されたシステムおよび方法を考案したものである。
【発明の概要】
【発明が解決しようとする課題】
【０００６】
本明細書では、人物のボイスメール・システムに録音および保存された発話名を使用して人物の名前の正確な発音をユーザに提供するシステムおよび方法が説明される。
【課題を解決するための手段】
【０００７】
本発明の一態様では、方法は、アプリケーション・サーバが通話以外の環境で人物の発話名の発音に対するユーザ要求を受信するステップと、アプリケーション・サーバが外部ボイスメール・システムに、この外部ボイスメール・システムに保存され、人物が当人の名前を発話した録音型音声コンテンツを含む録音型発話名（ＲＳＮＶＭ）音声ファイルを要求するＲＳＮＶＭ要求クエリを送信するステップと、アプリケーション・サーバがこの外部ボイスメール・システムからＲＳＮＶＭ音声ファイルを収納したＲＳＮＶＭ応答を受信するステップと、アプリケーション・サーバがネットワーク・アクセス端末のユーザにネットワーク・アクセス端末による再生用に人物の発話名の発音の音声版を提供するＲＳＮＶＭ音声ファイルを送信するステップとを含む。
【０００８】
本発明の別の態様では、システムは、人物の発話名の発音を求めたユーザ要求を受信するためにｈｔｔｐインターフェースを介してユーザ操作のネットワーク・アクセス端末に接続され、さらに外部ボイスメール・システムに、この外部ボイスメール・システムに保存された、人物が当人の名前を発話した録音型発話名（ＲＳＮＶＭ）音声ファイルを要求するＲＳＮＶＭ要求クエリを送信するため、またそのＲＳＮＶＭ音声ファイルを、ユーザに人物の録音型発話名の発音の音声版を提供するための再生用にユーザ操作のネットワーク・アクセス端末に送信するためにｈｔｔｐインターフェースまたはＶｏｉｃｅＸＭＬインターフェースを介してこの外部ボイスメール・システムに接続されるアプリケーション・サーバを含む。
【０００９】
本発明を適用可能な、さらなる範囲は以下の詳細な説明から明らかになろう。ただし、以下の詳細な説明および具体的な例は、本発明の好ましい実施形態を示しているが、当業者には、本発明の趣旨および範囲内で様々な変更および修正を加えられることが明らかになるであろうから、それらは例としてのみ記載されていることを理解すべきである。
【００１０】
本発明は、デバイスの様々な部分の構成、仕組みおよび組み合わせとして、ならびに方法のステップとして存在し、本発明が意図する目的は、これ以降でより詳しく記載され、特許請求の範囲で明確に指摘され、添付の図面で図示されるように達成される。
【図面の簡単な説明】
【００１１】
【図１】ユーザに人物の発話名の発音を提供するシステムを示したブロック図である。
【図２】ユーザに人物の発話名の発音を提供する方法を示したブロック図である。
【発明を実施するための形態】
【００１２】
図面の表示は、例示の実施形態を図示することを目的としているのみであって、特許請求の範囲における主題を限定することは目的としておらず、ここで図面を参照すると、図１は、これから説明される実施形態を組み込むことができるシステムのブロック図を示している。
【００１３】
１００で概要が示されているように、図１は、ユーザに人物の発話された発音の音声版を提供できるオンライン・アプリケーション・サーバ１１０を示したブロック図である。人物の名前の発音は、通話以外の環境で、すなわち、電話をかける、またはボイスメール・メッセージを残す、または残そうとするなど、通話を伴う従来の方法でボイスメール・システムに関わることなく、１つまたは複数のＷｅｂ基準のクエリを使用して１つまたは複数のボイスメール・システムから得られる。
【００１４】
アプリケーション・サーバ１１０は、ネットワーク・アクセス端末１３０を操作するユーザ１２０からアクセス可能である。アプリケーション・サーバ１１０は、オンライン、すなわち、Ｗｅｂ基準のデータベース・サーバ、または１４０で示されるインターネットまたはイントラネット・ネットワークを介してユーザ１２０と通信できる他のコンピューティング・デバイスであってよい。
【００１５】
以下でさらに詳しく説明される例において、アプリケーション・サーバは、通話以外の環境で、加入者のボイスメール・システム宛のｈｔｔｐクエリを利用してユーザ１２０に名簿メンバに関する名簿情報を提供するオンライン名簿サービス・アプリケーション・サーバである。ネットワーク・アクセス端末１３０は、パーソナル・コンピューティング（ＰＣ）デバイス、ワイヤレス遠隔通信デバイス、またはウェブ・ブラウズあるいは他の形のインターネット／イントラネット・ネットワーク・アクセスができる他の端末であってよい。
【００１６】
アプリケーション・サーバ１１０は、ｈｔｔｐインターフェース接続を介して１つまたは複数のボイスメール・システム１５０ａ〜１５０ｎに接続される。簡潔にする目的で、１つのボイスメール・システム１５０を詳しく説明するが、それぞれのボイスメール・システムが、説明される構成要素に類似した構成要素を有することを理解されたい。明瞭にする目的で、ボイスメール・システム１５０の加入者である、１６０に示された１人の名簿メンバの名前の発話された発音の音声版を入手する例を挙げる。ただし、ボイスメール・システム１５０は複数のボイスメール加入者にサービスを提供することができ、そのうちの１人または複数は名簿メンバであってよく、またアプリケーション・サーバは、１人または複数のユーザに名簿メンバのそれぞれの発話された発音を提供できることを理解されたい。さらに、それぞれが複数の対応するボイスメール加入者にサービスする複数の異なるボイスメール・システムを配置して、複数の名簿メンバの名前の発話される発音を提供するためにアクセスすることができる。したがって、ボイスメール加入者１６０は名簿メンバ１６０であってよく、該当する場合には、名簿メンバ１６０と称するものとする。
【００１７】
ボイスメール・システム１５０は、ボイスメール・システムの動作を制御し、１つが１７０に示されている１つまたは複数の遠隔通信ネットワークとのインターフェースを提供するボイスメール・プロセッサ１５６を含む。電話ネットワーク１７０は、サービス・プロバイダによって運用される公共電話ネットワークでもよいし、会社などの大企業によって運営される私設電話ネットワークでもよい。電話ネットワーク１７０は、有線、無線あるいはＶＯＩＰネットワーク、または他の適切なネットワークでよい。ボイスメール・システム１５０は、既存の回線交換ボイスメール・システム上またはＶＯＩＰ基準のボイスメール・システム上で実施できる。
【００１８】
ボイスメール・システム１５０は、名簿メンバの録音型発話名（名簿メンバが加入しているボイスメール・システムによって収集されたもの）を収納している音声ファイルを保管するための録音型発話名データベース１５４も含む。名簿メンバの録音型発話名は、これ以降、名簿メンバのＲＳＮＶＭと称される。名簿メンバのＲＳＮＶＭは名簿メンバ自身の発声の録音版であり、以下でさらに詳しく説明されるように、従来の方法でボイスメール・プロセッサ１５６によって収集され、従来のボイスメールのボイスメッセージで使用するために音声ファイル形式で録音型発話名データベース１５４に保存されているものである。名簿メンバのＲＳＮＶＭは、ボイスメール・プロセッサ１５６によって取り出しおよび使用できるように、名簿メンバの電話番号などによる識別子を使用して名簿メンバに関連付けられる。
【００１９】
ボイスメール・システム１５０は、従来の方法でボイスメール加入者のために残された、または録音された、発呼者（発呼者の１人が１９０に示されている）からのボイスメール・メッセージを保管するための録音型ボイスメッセージ・データベース１５６も含む。録音型ボイスメッセージ・データベース１５６は、ボイスメール・システムを使用する際のガイダンスとしてボイスメール加入者および／または発呼者に提供されるユニバーサル録音型ボイスメッセージも含む。ユニバーサル録音型ボイスメッセージの例を以下に示す。録音型発話名データベース１５４および録音型メッセージ・データベース１５６は、同じデータベースでもよいし、個別のデータベースでもよい。
【００２０】
発呼者１９０が名簿メンバの電話１８０に電話をかけたときにその電話が使用中の場合、またはその名簿メンバが他の方法でその旨を示した場合、ボイスメール・プロセッサ１６２は、発呼者１９０に、名簿メンバ１６０は電話に出られないことを示唆し、発呼者にメッセージを残すように促すボイスメッセージを送る。例えば、このボイスメッセージは、「Ｂｉｌｌ  Ｂｕｓｈｎｅｌｌは電話に出られません。トーンの後にメッセージをお願いします」などと言う。
【００２１】
これらのボイスメッセージは一般的には２つの部分を含み、最初の部分は名簿メンバのＲＳＮＶＭである「Ｂｉｌｌ  Ｂｕｓｈｎｅｌｌ」であり、これは、発呼者１９０に、意図された電話番号（被呼側のボイスメール加入者１６０の電話番号）に繋がっていることを確認するために使用される。２番目の部分は通常は音声ボイスメッセージの残りを含み、これは、ボイスメール・プロセッサ１５６がすべての発呼者に提供するユニバーサル・メッセージであって、ボイスメール・システムを使用してメッセージを残すように指示する。これは、録音型メッセージ・データベース１５６から取り出される、プロフェッショナルのアナウンサから録音されたユニバーサル音声ファイルである。
【００２２】
名簿メンバのＲＳＮＶＭは、自分の名前を発話した録音版の名簿メンバなので、名簿メンバ名の正しい発話された発音を正確に表している。名簿メンバが、例えば、従来のようにボイスメール・プロセッサ１５６によって提供されるセットアップ手順で名簿メンバのボイスメール・システム１５０に初めて電話したとき、一般的には名前を聞かれるので、ほとんどのボイスメール名簿メンバに名簿メンバのＲＳＮＶＭが存在する可能性が高い。さらに、録音は電話送受器１８０を使用して行われ、録音がプッシュホン信号によって制御されるので、名簿メンバ１６０が、所望するならば、正確な音声名の発音を提供するために録音し、録音を編集することは容易である。本明細書で説明されるように使用する目的で、名簿メンバのＲＳＮＶＭが録音型発話名データベース１５４内の音声形式のファイルに保管される。
【００２３】
システム１００は、ｈｔｔｐインターフェースを介して名簿サービス・アプリケーション・サーバ１１０に接続された名簿メンバ・プロファイル・データベース１１２も含むことができる。名簿メンバ・プロファイル・データベース１１２は、限定ではないが、名前、電話番号、ｅメール・アドレスなどを含む名簿メンバ情報を収納している。名簿メンバ・プロファイル・データベース１１２は、名簿メンバの名前、電話番号あるいは住所、または他の識別子を用いてアクセスできるリレーショナル・データベースでよい。クエリされると、名簿メンバ・プロファイル・データベース１１２はアプリケーション・サーバ１１０に、名簿メンバのボイスメール・システム１５０の録音型発話名データベース１５４に保管されている名簿メンバのＲＳＮＶＭを見つけて、アクセスするのに適した名簿メンバ情報を提供する。この情報は、ＲＳＮＶＭ識別子（ＲＳＮＶＭ  ＩＤ）と称するものとする。名簿サービス・アプリケーション・サーバ１１０から単一のボイスメール・システム１５０がアクセス可能な場合、この情報は名簿メンバの電話番号でよい。この情報は、複数のボイスメール・システム１５０にアクセスできる名簿情報サービス・アプリケーション１００用の名簿メンバに関連付けられたボイスメール・プロセッサを見つけてアクセスするのに適したボイスメール・プロセッサのＩＰアドレスまたはドメイン名などの位置情報を含むこともできる。
【００２４】
次に図２を参照して、名簿メンバのＲＳＮＶＭを利用する名簿メンバの名前の発話された発音の音声版を提供する名簿情報サービス・アプリケーション１００の動作の方法が説明される。
【００２５】
過去のいずれかの時点で、２０２に示されているように、名簿メンバ１６０が自分の発話名をボイスメール・システム１５０に録音および保管のために提供する。これは、名簿メンバがボイスメール加入者としてボイスメール・アカウントを設定するときなどに電話１８０で、または他の従来の方法で行うことができる。２０４で、ボイスメール・システム１５０がＲＳＮＶＭを音声ファイルとして作成し、その音声ファイルを、ボイスメール・システムで使用するためにボイスメール加入者に関連付けて録音型発話名ＤＢ１５４に保管する。２０６で、ＲＳＮＶＭ  ＩＤも名簿メンバに関連付けて名簿メンバ・プロファイル・データベース１１２に保管される。
【００２６】
次に、２０８で、名簿サービス・ユーザ１２０が名簿のメンバに関する情報を入手する目的で名簿情報サービス・アプリケーション１００にアクセスする。ユーザ１２０は、パーソナル・コンピュータなどのインターネットまたはイントラネット・アクセス端末１３０を使用することができ、その端末１３０は、図１に示されたようなネットワーク接続を介して名簿サービス・アプリケーション・サーバ１１０と通信する。２１０で、ユーザ１２０は、例えば、適切なアイコンをクリックすることなどにより、名簿メンバの発話名の発音を要求することができ、その要求はアプリケーション・サーバ１１０に送信される。その要求は、何らかの方法で名簿メンバを識別する。
【００２７】
次に、２１２で、名簿サービス・アプリケーション・サーバ１１０が名簿メンバ情報を入手するために名簿メンバ・プロファイル・データベース１１２にクエリする。クエリは、ｈｔｔｐクエリでよい。
【００２８】
ユーザが２１０で発話名の発音を要求した名簿メンバのＲＳＮＶＭが２１４で利用できない場合、名簿メンバ・プロファイル・データベース１１２は、２１６で、ＲＳＮＶＭ  ＩＤを提供しないで名簿メンバのメンバ情報を返すことができる。そのメンバ情報は、アプリケーション・サーバ１１０によって受信されたＸＭＬドキュメントでよい。この例では、ユーザ１２０は、この名簿メンバの発話名の発音を利用できない。
【００２９】
２１４でこの名簿メンバのＲＳＮＶＭが利用できる場合、アプリケーション・サーバ１１０は、２１８で、ＲＳＮＶＭ  ＩＤを含むメンバ情報を名簿メンバ・プロファイル・データベース１１２から受信する。そのメンバ情報は、アプリケーション・サーバ１１０によって受信されたＸＭＬドキュメントでよい。
【００３０】
アプリケーション・サーバ１１０は、２２０で、そのＲＳＮＶＭ  ＩＤを使用して、ＲＳＮＶＭ要求クエリをその名簿メンバのボイスメール・システム１５０に送信する。ＲＳＮＶＭ要求クエリは、ボイスメール・システム・プロセッサ１５６に、ＲＳＮＶＭ  ＩＤによって識別された、名簿メンバ用に以前に録音されたＲＳＮＶＭ音声ファイルを送信するように依頼するｈｔｔｐクエリでよい。アプリケーション・プロセッサ１１０は、上述のようなＲＳＮＶＭ  ＩＤ内の、またはそれに関連付けられた位置情報を使用して、利用可能な多数のボイスメール・プロセッサ１５６のうちの適切な１つにそのクエリを送信することができる。
【００３１】
ボイスメール・プロセッサ１５６はＲＳＮＶＭ音声ファイルを録音型発話名データベース１５４から取り出し、名簿メンバ１２０のＲＳＮＶＭ音声ファイルを含むＲＳＮＶＭ応答をアプリケーション・サーバ１１０に返信する。例えば、ＲＳＮＶＭ応答は、アクセス端末１３０による再生用の．ｗａｖファイルの形のＲＳＮＶＭ音声ファイル、または他の適切な音声ファイルを含むｈｔｍｌページを含むことができる。
【００３２】
名簿サービス・アプリケーション・サーバ１１０は、２２４で、そのＲＳＮＶＭ音声ファイルを名簿ユーザの端末１３０に送信する。ユーザの端末１３０は、ユーザ１２０に対してそのＲＳＮＶＭ音声ファイルを再生し、上述の２１０でユーザによって要求された名簿メンバの発話名の発音の音声版を提供する。一例では、限定と考えるべきではないが、アプリケーション・サーバ１１０は、名前、電話番号、勤務先住所、ｅメール・アドレスなどを含む名簿メンバの情報を収納したウェブ・ページをユーザの端末１３０に返すことができる。ウェブ・ページはホット・リンクを含むこともでき、ユーザがホット・リンクをクリックすると、そのメンバの発話名の発音にアクセスして、聞くことができる。ユーザの端末１３０は、任意の適切な従来のメディア・プレーヤを使用してスピーカでＲＳＮＶＭ音声ファイルを再生することができる。
【００３３】
このようにして名簿情報サービス・アプリケーション１００は、名簿メンバのボイスメール・システムから入手した名簿メンバのＲＳＮＶＭを使用して、名簿メンバの名前の発話された発音の音声版を提供することができる。名簿メンバは、情報名簿サービス・アプリケーション・サーバ１１０による録音用に自分の発話名を提供する必要はない。名簿メンバはそのようなオンライン名簿用に自分の名前の発音を録音することを嫌がる可能性があるが、そのようなメンバも、自分が加入しているボイスメール・システム用に自分の名前の発音を録音する。
【００３４】
名簿情報サービス・アプリケーション１００は、会合や電話会議などで名簿メンバと対話する前に正確な発話名の発音を従業員に提供する、会社などの大企業に役立つ可能性がある。
【００３５】
オンライン・アプリケーション・サーバ１００によって提供される発話名の発音機能は、ｈｔｔｐインターフェースを介してアプリケーション・サーバ１１０に接続される、１つが１１１に示されている他のアプリケーションでも使用できる。これらのアプリケーション１１１には、限定ではないが、ワード・プロセッシング・プログラム、表計算プログラム、注文処理プログラム、顧客トラブル・チケット、音声会議サービスなどがある。例えば、従業員の名前を収納するアプリケーション１１１は、上述の２１０でユーザ要求がアプリケーション・サーバ１１０に出されるのと同じような方法で発話名の発音機能をアクティブにするように大企業によって使用できる。名前は、アプリケーション１１１内でウェブ・リンクとして強調表示することができ、名前を右クリックすることにより、ユーザは、その人物の名前の発音をアクティブにすることができる。あるいは、発音は、アクセス補助ツールを拡張するために、テキストから音声出力する形で自動的に連結されてもよい。
【００３６】
雇用者以外のサービス・プロバイダはそのようなアプリケーション１１１で、ソーシャル・ネットワーキング・ウェブ・サイトなどを含めた名簿メンバに、ユーザが、対話を所望する人物の正確な発話名の発音を聞けるようにする同様の機能を提供することができる。
【００３７】
上記の説明は本発明の特定の実施形態の開示を提供するだけで、本発明をその実施形態に限定するようには意図されていない。そのため、本発明は、上述の実施形態のみに限定されない。むしろ、当業者は、本発明の範囲に含まれる代替実施形態を考案できることが理解できよう。
【図１】
0005542065.tif 000002
【図２】
0005542065.tif 000003